(57)【要約】【課題】寝具やソファー等の家具内に収容することにより、人体より発せられる熱を効率よく反射させることができ、使用中に優れた保温性を発揮することができる保温シートを提供する。【解決手段】寝具または家具内に収容して使用する保温シート１である。保温シート１は、発泡ウレタンシート２にアルミシート層３が接着または蒸着されることにより積層されている。また、発泡ウレタンシート２に代えて、綿シート、織布または不織布を用いてもよい。座いす、ソファー、座布団、敷布団、掛布団内に収容して使用することができる。【選択図】      図１
2004168008.tif 000002
【特許請求の範囲】
【請求項１】
寝具又は家具内に収容して使用する保温シートにおいて、発泡ウレタンシートにアルミシート層が接着または蒸着されることにより積層されていることを特徴とする保温シート。
【請求項２】
寝具又は家具内に収容して使用する保温シートにおいて、綿シートにアルミシート層が接着または蒸着されることにより積層されていることを特徴とする保温シート。
【請求項３】
寝具又は家具内に収容して使用する保温シートにおいて、織布もしくは不織布にアルミシート層が接着または蒸着されることにより積層されていることを特徴とする保温シート。
【請求項４】
発泡ウレタンシートが積層されている請求項２または３記載の保温シート。
【請求項５】
座いす内に収容するための請求項１乃至４のうちいずれか一項記載の保温シート。
【請求項６】
ソファー内に収容するための請求項１乃至４のうちいずれか一項記載の保温シート。
【請求項７】
座布団内に収容するための請求項１乃至４のうちいずれか一項記載の保温シート。
【請求項８】
敷布団および／または掛布団内に収容するための請求項１乃至４のうちいずれか一項記載の保温シート。
【請求項９】
小片状の発泡ウレタンチップを中材としたクッション内に収容するための請求項１乃至４のうちいずれか一項記載の保温シート。
【発明の詳細な説明】
【０００１】
【発明の属する技術分野】
本発明は、寝具やソファー等の家具内に収容して使用する保温シートであって、特に、人体より発せられる熱を効率よく反射させることにより、優れた保温性を発揮することができる保温シートに関する。
【０００２】
【従来の技術】
従来、保温性を有するシートとして、合成樹脂フィルムにアルミニウムなどを蒸着した保温シートが知られている。また、かかる保温シートの表裏には、不織布または織布が接着され、例えば、防寒シート等として使用されてきた（例えば、特許文献１参照）。
【０００３】
【特許文献１】
特開平１１−１２３１３２号公報  （第２−３頁、図２）
【０００４】
【発明が解決しようとする課題】
しかし、上記特許文献１に記載されている防寒シートは、就寝時に身体に掛けて使用するもので、通常の毛布より防寒効果が高く、また好みの大きさに畳むことができるが、その用途は限られていた。即ち、かかる防寒シートは座いすやソファーとしての家具から、掛布団や敷布団等の寝具に至るまでといった幅広い分野に使用されるまでには至っていなかった。
【０００５】
そこで本発明の目的は、寝具やソファー等の家具に適用することができ、人体より発せられる熱を効率よく反射させることにより、使用中に優れた保温性を発揮することができる保温シートを提供することにある。
【０００６】
【課題を解決するための手段】
上記課題を達成するために、本発明の保温シートは寝具又は家具内に収容して使用する保温シートにおいて、発泡ウレタンシートにアルミシート層が接着または蒸着することにより積層されていることを特徴とするものである。本発明においては、アルミシート層の高い熱反射効率にて人体より発せられる熱を効率よく反射させ、使用中に優れた保温性を発揮することができる。また、発泡ウレタンシートを積層したことにより、保温シート全体の緩衝性や保形性を得ることができる。
【０００７】
本発明の保温シートにおいては、前記発泡ウレタンシートに代えて、綿シート、織布または不織布を用いても実質的に同様の効果を得ることができる。
【０００８】
本発明の保温シートは、座いす、ソファー、座布団、敷布団、掛布団内に収容して使用する。また、小片状の発泡ウレタンチップを中材としたクッション内に収容して使用することもできる。
【０００９】
【発明の実施の形態】
以下、本発明の保温シートの実施の形態を図面に基づいて説明する。
図１に示す本開発の好適例の保温シート１は、発泡ウレタンシート２にアルミシート層３を接着または蒸着することにより形成される。この保温シート１は、図２に示すように、中材１０および１０’と、中材１０を被覆するカバー１１とを具備する座いすやソファーとしての家具、更には掛布団や敷布団等の寝具の内部に収容される。
【００１０】
発泡ウレタンシート２としては、マットレスやクッション材料に使用されている、発泡倍率１５〜３０倍の軟質フォームを好適に使用することができ、厚みは、好ましくは５ｍｍ〜１０ｍｍ程度とする。これにより、アルミシート層３を積層しても、保温シート１に緩衝性や保形性を付与することができる。
【００１１】
本発明に係るアルミシート層３は、耐水性、撥水性、耐ボイル性に優れた特性を有し、好ましくは５μｍ〜５０μｍの厚みからなり、より好ましくは１０〜１５μｍ、特には１２μｍ程度を有するものが用いられる。かかる保温シート１を寝具やソファー等の家具内に収容して用いることにより、アルミシート層３の高い熱反射効率により、人体から発せられる熱を効率よく反射させ、使用中に優れた保温性が得られる。
【００１２】
また、本発明の保温シート１は、例えば、厚さ１２μｍ程度のアルミニウムシートを接着剤を用いて発泡ウレタンシート２の表面に接着したり、もしくは、常法に従いアルミ蒸着方法を適用して、発泡ウレタンシート２の表面にアルミニウムの薄膜を蒸着形成してもよい。接着剤としては、特に制限されるものではなく、一般に使用されているエマルジョンタイプのもの等を使用することができる。
【００１３】
また、上述の本発明の保温シート１の好適使用形態は、図２に示すように、保温シート１を中材１０および１０’間に介在させ、カバー１１の表側地１２より、例えば、約５ｍｍ程度以上内側部分に収容する。これにより、アルミシート層３特有の違和感が解消され、使用中の緩衝性が得られる。
【００１４】
また、本発明の他の好適例の保温シート１では、図３に示すように、綿シート４にアルミシート層３を接着または蒸着することにより形成されている。綿シート４は、木綿、化繊綿または混紡綿等からなる綿材を任意の厚さに押圧して形成される。かかる綿シート４をアルミシート層３に積層することにより、保温シート１の緩衝性と共に、優れた保温性も得ることができる。
【００１５】
さらに、本発明の他の好適例の保温シート１では、図４に示すように、織布または不織布５にアルミシート層３が接着または蒸着されている。かかる織布または不織布５にアルミシート層３を積層することにより、保温性、緩衝性、吸水性が得られると共に、コスト面および作業面でも有利である。
【００１６】
さらにまた、本発明の他の好適例では、図５に示すように、織布または不織布５にアルミシート層３が接着または蒸着された保温シート１に、更に発泡ウレタンシート６が積層されている。織布もしくは不織布５の下面に、発泡ウレタンシート６を積層させることにより、さらに高い緩衝性が得られる。なお、発泡ウレタンシート６は、前述のアルミシート層３に積層される発泡ウレタンシート２と同様の素材にて形成することができる。
【００１７】
次に、本発明の保温シートの使用例の詳細を図６乃至図１２に基づいて説明する。
図６および図７においては、本発明の保温シート１を、家具としての座いす２０内に収容した使用例を表す。保温シート１を座いす２０の座部や背もたれ、特に、着座中に人体が接する箇所に収容することにより、人体より発せられる体温をアルミシート層３にて効率よく熱反射させ、優れた保温性を発揮することができる。また、図８に示すように、本発明の保温シート１を、ソファー２１の座部や背もたれの内部に収容してもよい。
【００１８】
図９においては、本発明の保温シート１を、綿を中材として形成される矩形状の座布団２２内に収容した状態を表す。この場合、臀部より発せられる体温がアルミシート層３にて熱反射され、着座中に優れた保温性が得られる。また、図１０に示すように、円形に形成された円座２３内に保温シート１を収容させてもよい。
【００１９】
図１１においては、本発明の保温シート１を、寝具としての敷布団２４や掛布団２５内に収容した状態を表す。前記保温シート１を、敷布団２４の一部、例えば背中や腰部が接する箇所に、また、掛布団２５の人体の接する側にそれぞれ収容することにより、身体全体から発せられる体温により、就寝中に優れた保温性が得られる。なお、室温等に応じて、敷布団２４または掛布団２５のいずれか一方に保温シート１を収容してもよい。
【００２０】
さらに、図１２に示すように、本発明の保温シート１を、小片状の発泡ウレタンチップａを中材とした嵩高状のクッション２６内に収容してもよい。この場合、発泡ウレタンチップａによる優れた緩衝性と共に、保温シート１の保温性を同時に得ることができる。
【００２１】
【発明の効果】
以上説明してきたように、本発明の保温シートによれば、アルミシート層の高い熱反射効率にて人体より発せられる熱を効率よく反射させ、使用中に優れた保温性を発揮することができる。また、発泡ウレタンシート等を具備したことにより、緩衝性や保形性が得られる。
【図面の簡単な説明】
【図１】本発明の保温シートの拡大断面図である。
【図２】前記保温シートの使用状態の拡大断面図である。
【図３】アルミシート層と綿シートを重合させた保温シートの拡大断面図である。
【図４】アルミシート層と織布もしくは不織布を重合させた保温シートの拡大断面図  である。
【図５】前記保温シートに発泡ウレタンシートを積層させた保温シートの拡大断面図である。
【図６】本発明の保温シートを座いすに収容させた状態の斜視図である。
【図７】前記座いすに着座した状態の断面図である。
【図８】本発明の保温シートをソファーに収容させた状態の斜視図である。
【図９】本発明の保温シートを矩形状の座布団内に収容させた状態の斜視図である。
【図１０】本発明の保温シートを円座内に収容させた状態の斜視図である。
【図１１】本発明の保温シートを敷布団および／または掛布団内に収容させた状態の斜視図である。
【図１２】本発明の保温シートを、小片状の発泡ウレタンチップを中材としたクッション内に収容させた状態の斜視図である。
【符号の説明】
１  保温シート
２  発泡ウレタンシート
３  アルミシート層
４  綿シート
５  織布もしくは不織布
６  発泡ウレタンシート
１０  中材
１０´中材
１１  カバー
１２  表側地
２０  座いす
２１  ソファー
２２  座布団
２３  円座
２４  敷布団
２５  掛布団
２６  クッション
ａ  発泡ウレタンチップ
【図１】
2004168008.tif 000003
【図２】
2004168008.tif 000004
【図３】
2004168008.tif 000005
【図４】
2004168008.tif 000006
【図５】
2004168008.tif 000007
【図６】
2004168008.tif 000008
【図７】
2004168008.tif 000009
【図８】
2004168008.tif 000010
【図９】
2004168008.tif 000011
【図１０】
2004168008.tif 000012
【図１１】
2004168008.tif 000013
【図１２】
2004168008.tif 000014